【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
入力された画像データを記憶する画像記憶部を備える画像処理装置であって、
当該画像処理装置を利用することが特定される予約情報に基づいて、その予約情報に対するデータ記憶領域を前記画像記憶部に作成する作成手段と、
前記予約情報に基づいて、前記作成手段で作成したデータ記憶領域へのアクセス権を設定する設定手段と、
前記画像記憶部で作成されているデータ記憶領域に対応する予約情報に基づいて、前記画像データの格納先となるデータ記憶領域を決定する決定手段と
を備えることを特徴とする画像処理装置。
【請求項２】
前記予約情報は、当該画像処理装置が設置されている会議室の会議室名、その会議室で行われる会議の会議名、会議に参加するユーザ名、会議室の利用時間を含む
ことを特徴とする請求項１に記載の画像処理装置。
【請求項３】
前記作成手段は、前記データ記憶領域をフォルダとして作成し、そのフォルダのフォルダ名称を、前記予約情報に含まれる会議名に基づいて設定する名称設定手段を備える
ことを特徴とする請求項２に記載の画像処理装置。
【請求項４】
前記作成手段は、前記データ記憶領域をフォルダとして作成し、そのフォルダのフォルダ名称を、前記予約情報に含まれる会議室の利用時間に基づいて設定する名称設定手段を備える
ことを特徴とする請求項２に記載の画像処理装置。
【請求項５】
前記設定手段は、前記予約情報に含まれるユーザ名を、前記データ記憶領域へのアクセス権として設定する
ことを特徴とする請求項２に記載の画像処理装置。
【請求項６】
前記画像処理装置は、当該画像処理装置を操作するユーザを認証する認証手段を更に備える
ことを特徴とする請求項１に記載の画像処理装置。
【請求項７】
前記決定手段は、処理対象の画像データの入力を行う時点の現在時刻情報と、前記画像記憶部で作成されているデータ記憶領域に対応する予約情報に含まれる利用時間及びユーザ名とに基づいて、前記画像データの格納先となるデータ記憶領域を決定する
ことを特徴とする請求項１に記載の画像処理装置。
【請求項８】
当該画像処理装置を操作するユーザを認証する認証手段と、
前記認証手段で認証されたユーザ名のアクセス権が付与されているデータ記憶領域を特定する特定手段と、
前記特定手段で特定したデータ記憶領域に格納されている情報を表示する表示手段と
を更に備えることを特徴とする請求項１に記載の画像処理装置。
【請求項９】
画像処理装置が設置されている会議室の利用スケジュールを管理する情報処理装置であって、
外部端末から受信する予約情報を記憶媒体に登録する登録手段と、
前記登録手段で登録した予約情報で指定される会議室に設置されている画像処理装置を特定する特定手段と、
前記特定手段で特定した画像処理装置から参照可能な画像記憶部に、前記予約情報に対応するデータ記憶領域の作成依頼を発行する発行手段と
を備えることを特徴とする情報処理装置。
【請求項１０】
前記外部端末からのデータの格納要求に付随して、該外部端末のユーザ名及び会議名称を受信した場合、そのデータの格納先となる画像処理装置内のデータ記憶領域を特定するデータ記憶領域特定手段と、
前記データ記憶領域特定手段で特定したデータ記憶領域を示す格納先情報を、前記外部端末へ通知する通知手段と
を更に備えることを特徴とする請求項９に記載の情報処理装置。
【請求項１１】
入力された画像データを記憶する画像記憶部を備える画像処理装置の制御方法であって、
当該画像処理装置を利用することが特定される予約情報に基づいて、その予約情報に対するデータ記憶領域を前記画像記憶部に作成する作成工程と、
前記予約情報に基づいて、前記作成工程で作成したデータ記憶領域へのアクセス権を設定する設定工程と、
前記画像記憶部で作成されているデータ記憶領域に対応する予約情報とに基づいて、前記画像データの格納先となるデータ記憶領域を決定する決定工程と
を備えることを特徴とする画像処理装置の制御方法。
【請求項１２】
入力された画像データを記憶する画像記憶部を備える画像処理装置の制御をコンピュータに実行させるためのプログラムであって、
当該画像処理装置を利用することが特定される予約情報に基づいて、その予約情報に対するデータ記憶領域を前記画像記憶部に作成する作成工程と、
前記予約情報に基づいて、前記作成工程で作成したデータ記憶領域へのアクセス権を設定する設定工程と、
前記画像記憶部で作成されているデータ記憶領域に対応する予約情報とに基づいて、前記画像データの格納先となるデータ記憶領域を決定する決定工程と
をコンピュータに実行させることを特徴とするプログラム。
【請求項１３】
画像処理装置が設置されている会議室の利用スケジュールを管理する情報処理装置の制御方法であって、
外部端末から受信する予約情報を記憶媒体に登録する登録工程と、
前記登録工程で登録した予約情報で指定される会議室に設置されている画像処理装置を特定する特定工程と、
前記特定工程で特定した画像処理装置から参照可能な画像記憶部に、前記予約情報に対応するデータ記憶領域の作成依頼を発行する発行工程と
を備えることを特徴とする情報処理装置の制御方法。
【請求項１４】
画像処理装置が設置されている会議室の利用スケジュールを管理する情報処理装置の制御をコンピュータに実行させるためのプログラムであって、
外部端末から受信する予約情報を記憶媒体に登録する登録工程と、
前記登録工程で登録した予約情報で指定される会議室に設置されている画像処理装置を特定する特定工程と、
前記特定工程で特定した画像処理装置から参照可能な画像記憶部に、前記予約情報に対応するデータ記憶領域の作成依頼を発行する発行工程と
をコンピュータに実行させることを特徴とするプログラム。
【手続補正２】
【補正対象書類名】明細書
【補正対象項目名】発明の名称
【補正方法】変更
【補正の内容】
【発明の名称】画像処理装置、情報処理装置及びそれらの制御方法、プログラム
【手続補正３】
【補正対象書類名】明細書
【補正対象項目名】０００１
【補正方法】変更
【補正の内容】
【０００１】
本発明は、外部端末、画像処理装置及び、前記画像処理装置が設置されている会議室の利用スケジュールを管理する情報処理装置に関するものである。
【手続補正４】
【補正対象書類名】明細書
【補正対象項目名】００１０
【補正方法】変更
【補正の内容】
【００１０】
上記の目的を達成するための本発明による画像処理装置は以下の構成を備える。即ち、
入力された画像データを記憶する画像記憶部を備える画像処理装置であって、
当該画像処理装置を利用することが特定される予約情報に基づいて、その予約情報に対するデータ記憶領域を前記画像記憶部に作成する作成手段と、
前記予約情報に基づいて、前記作成手段で作成したデータ記憶領域へのアクセス権を設定する設定手段と、
前記画像記憶部で作成されているデータ記憶領域に対応する予約情報に基づいて、前記画像データの格納先となるデータ記憶領域を決定する決定手段と
を備える。
【手続補正５】
【補正対象書類名】明細書
【補正対象項目名】００１８
【補正方法】変更
【補正の内容】
【００１８】
上記の目的を達成するための本発明による情報処理装置は以下の構成を備える。即ち、  画像処理装置が設置されている会議室の利用スケジュールを管理する情報処理装置であって、
外部端末から受信する予約情報を記憶媒体に登録する登録手段と、
前記登録手段で登録した予約情報で指定される会議室に設置されている画像処理装置を特定する特定手段と、
前記特定手段で特定した画像処理装置から参照可能な画像記憶部に、前記予約情報に対応するデータ記憶領域の作成依頼を発行する発行手段と
を備える。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】変更
【補正の内容】
【００２１】
上記の目的を達成するための本発明による画像処理装置の制御方法は以下の構成を備える。即ち、
入力された画像データを記憶する画像記憶部を備える画像処理装置の制御方法であって、
当該画像処理装置を利用することが特定される予約情報に基づいて、その予約情報に対するデータ記憶領域を前記画像記憶部に作成する作成工程と、
前記予約情報に基づいて、前記作成工程で作成したデータ記憶領域へのアクセス権を設定する設定工程と、
前記画像記憶部で作成されているデータ記憶領域に対応する予約情報とに基づいて、前記画像データの格納先となるデータ記憶領域を決定する決定工程と
を備える。
【手続補正８】
【補正対象書類名】明細書
【補正対象項目名】００２２
【補正方法】変更
【補正の内容】
【００２２】
上記の目的を達成するための本発明によるプログラムは以下の構成を備える。即ち、
入力された画像データを記憶する画像記憶部を備える画像処理装置の制御をコンピュータに実行させるためのプログラムであって、
当該画像処理装置を利用することが特定される予約情報に基づいて、その予約情報に対するデータ記憶領域を前記画像記憶部に作成する作成工程と、
前記予約情報に基づいて、前記作成工程で作成したデータ記憶領域へのアクセス権を設定する設定工程と、
前記画像記憶部で作成されているデータ記憶領域に対応する予約情報とに基づいて、前記画像データの格納先となるデータ記憶領域を決定する決定工程と
をコンピュータに実行させることを特徴とする。
【手続補正９】
【補正対象書類名】明細書
【補正対象項目名】００２３
【補正方法】変更
【補正の内容】
【００２３】
上記の目的を達成するための本発明による情報処理装置の制御方法は以下の構成を備える。即ち、
画像処理装置が設置されている会議室の利用スケジュールを管理する情報処理装置の制御方法であって、
外部端末から受信する予約情報を記憶媒体に登録する登録工程と、
前記登録工程で登録した予約情報で指定される会議室に設置されている画像処理装置を特定する特定工程と、
前記特定工程で特定した画像処理装置から参照可能な画像記憶部に、前記予約情報に対応するデータ記憶領域の作成依頼を発行する発行工程と
を備える。
【手続補正１０】
【補正対象書類名】明細書
【補正対象項目名】００２４
【補正方法】変更
【補正の内容】
【００２４】
上記の目的を達成するための本発明によるプログラムは以下の構成を備える。即ち、
画像処理装置が設置されている会議室の利用スケジュールを管理する情報処理装置の制御をコンピュータに実行させるためのプログラムであって、
外部端末から受信する予約情報を記憶媒体に登録する登録工程と、
前記登録工程で登録した予約情報で指定される会議室に設置されている画像処理装置を特定する特定工程と、
前記特定工程で特定した画像処理装置から参照可能な画像記憶部に、前記予約情報に対応するデータ記憶領域の作成依頼を発行する発行工程と
をコンピュータに実行させることを特徴とする。
【手続補正１１】
【補正対象書類名】明細書
【補正対象項目名】００２５
【補正方法】変更
【補正の内容】
【００２５】
本発明によれば、予めスケジュールされた会議等で使用すべき資料の格納を容易にし、画像処理装置を効率的に利用することができる画像処理装置、情報処理装置及びそれらの制御方法、プログラムを提供できる。